(57)【要約】【課題】  寝具等に横たわる人間と前記寝具等との間に介装し、この人間が体位変換又は移動することを容易にする体位変換補助シートを提供する。【解決手段】  ベッド２に横たわる人間と前記ベッド２のシーツ21との間に介装し、この人間が体位変換又は移動することを容易にする体位変換補助シート１であって、平面視形状が略等しい滑りシート11、クッションシート12、そして滑り止めシート13からなり、滑りシート11は特定方向に滑りやすく、前記特定方向以外で滑りにくくした表面を有し、滑り止めシート13は全方向に滑りにくくした裏面を有してなり、少なくとも全シート11,12,13の周縁相互を接合し、一体にした体位変換補助シート１である。【選択図】  図１
2006109928.tif 000002
【特許請求の範囲】
【請求項１】
寝具等に横たわる人間と前記寝具等との間に介装し、該人間が体位変換又は移動することを容易にする体位変換補助シートであって、平面視形状が略等しい滑りシートと滑り止めシートとからなり、滑りシートは特定方向に滑りやすく、前記特定方向以外で滑りにくくした表面を有し、滑り止めシートは全方向に滑りにくくした裏面を有してなり、少なくとも両シートの周縁相互を接合し、滑りシート及び滑り止めシートを一体にしてなる体位変換補助シート。
【請求項２】
滑りシート及び滑り止めシートは、両シートが接面する範囲で部分的に接合してなる請求項１記載の体位変換補助シート。
【請求項３】
滑りシート及び滑り止めシートは、弾性を備えたクッションシートを介装してなる請求項１記載の体位変換補助シート。
【請求項４】
滑りシート、滑り止めシート及びクッションシートは、各シート相互の接面する範囲が重なる範囲で部分的に接合してなる請求項３記載の体位変換補助シート。
【請求項５】
滑りシートは、経糸又は緯糸の一方が他方より多く表面に現れ、該経糸又は緯糸の一方が特定方向に揃った略平行な糸条列を織成又は編成した滑り織物又は滑り編物であり、前記糸条列の特定方向では糸条の抵抗がないために滑りやすく、前記特定方向以外では糸条列に引っ掛かって滑りにくくした表面を形成してなる請求項１〜４いずれか記載の体位変換補助シート。
【請求項６】
滑りシートは、経糸又は緯糸の一方が他方より多く表面に現れ、該経糸又は緯糸の一方が特定方向に揃った略平行な糸条列を編成した表編面を、経糸及び緯糸を編成した裏編面と連結糸で結んだ滑り立体編物であり、前記糸条列の特定方向では糸条の抵抗がないために滑りやすく、前記特定方向以外では糸条列に引っ掛かって滑りにくくした表面を形成し、主として連結糸により弾性を発揮させてなる請求項１〜４いずれか記載の体位変換補助シート。
【請求項７】
滑り止めシートは、経糸及び緯糸を織成又は編成し、裏面に滑り止め加工を施した滑り止め織物又は滑り止め編物であり、前記滑り止め加工を施した裏面により全方向に滑りにくくした裏面を織成又は編成してなる請求項１〜５いずれか記載の体位変換補助シート。
【請求項８】
滑り止めシートは、経糸及び緯糸を編成し、滑り止め加工を施した裏編面を、同じく経糸及び緯糸を編成した表編面と連結糸で結んだ滑り止め立体編物であり、前記滑り止め加工を施した裏面により全方向に滑りにくくした裏面を形成し、主として連結糸により弾性を発揮させてなる請求項１〜４いずれか記載の体位変換補助シート。
【請求項９】
クッションシートは、経糸及び緯糸を編成した表編面を、同じく経糸及び緯糸を編成した裏編面と連結糸で結んだクッション立体編物であり、前記主として連結糸により弾性を発揮させてなる請求項３又は４いずれか記載の体位変換補助シート。
【請求項１０】
滑りシートは吸水性を備え、滑り止めシートは撥水性を備えてなる請求項１〜４いずれか記載の体位変換補助シート。
【請求項１１】
滑りシートは通水性を備え、クッションシートは吸水性を備え、滑り止めシートは撥水性を備えてなる請求項３又は４いずれか記載の体位変換補助シート。
【発明の詳細な説明】
【技術分野】
【０００１】
本発明は、寝具等に横たわる人間と前記寝具等との間に介装し、この人間が体位変換又は移動することを容易にする体位変換補助シートに関する。
【０００２】
本発明における「寝具等」とは、ベッドや布団等、一般の寝具のほか、必要に応じて人間が横たわる面を有する一切のものを含む。また、本発明における「人間」とは、主として要介護者、例えばお年寄り、身体の不自由な人（身体障害者）や疾病者を指すが、このほかマッサージ等を施すため、ベッドに横たわる人間も含む。
【背景技術】
【０００３】
お年寄り、身体の不自由な人や疾病者等の要介護者（以下、要介護者で代表）は、ベッドのシーツの摩擦抵抗に対抗してうまく寝返り等の体位変換ができない。これは、介助者の補助があっても同様である。しかし、シーツ全体の摩擦抵抗が低下すると、逆に要介護者の姿勢が不安定になる問題を生ずる。これから、特許文献１〜特許文献３に見られるように、左右方向の摩擦抵抗を部分的に低くして特定方向に要介護者が滑りやすくした体位変換補助シートが開発されている。要介護者は、シーツの上に敷いた体位変換補助シートの上に横たわると、体位変換補助シートの滑りやすさに従って容易に体位変換できる。
【０００４】
特許文献１の体位変換補助シートは、特定方向にシート本体の表面を滑りやすく、前記特定方向以外で滑りにくくした滑りシートを、従来生地からなる通常シートで挟み、滑りシート及び通常シートの側縁を相互に縫着して縫い合わせて構成している。すなわち、特許文献１の体位変換補助シートは、滑りシート及び通常シートが同一面上に並んで１枚の体位変換補助シートを構成している。体位変換補助シート全体に対する滑りシートの位置は様々例示されているが、要介護者の上半身に相応する範囲に必ず滑りシートが位置するようにしている。
【０００５】
特許文献２では、防水を目的として、滑りシートの裏面に、防水層（moisture barrier layer 21）を形成する防水シートを宛てがっている体位変換補助シートも見られる。この防水シートは、滑りシートに対して部分的に縫着し、一体として取り扱うことができるようにしている（特許文献２、第６欄58行〜60行）。また、防水シートは、滑りシートに面ファスナー等により着脱できる別体である場合も明記されており、必要に応じて交換できることを想定している（特許文献２、第６欄63行〜67行）。
【０００６】
特許文献３の体位変換補助シートは、通常シートの表面に、必要な範囲の大きさの滑りシート（シルック地と表記）を縫着している。前記縫着がどのようなもので、具体的にどこを縫着するかについては明示されていないが、上述の特許文献１又は特許文献３を参考にする限り、滑りシートの周縁を縫着しているものと考えられる。
【０００７】
【特許文献１】欧州特許第0793435号明細書（３頁〜５頁、図１及び図４）
【特許文献２】米国特許第5787523号明細書（８頁〜10頁、図１及び図４）
【特許文献３】登録実用新案第3016659号公報（３頁及び４頁、図１及び図４）
【発明の開示】
【発明が解決しようとする課題】
【０００８】
上記特許文献１〜特許文献３の各体位変換補助シートは、滑りシートを挟むように設ける通常シートを例えばベッドのマットに巻き付けることで、要介護者の上半身に相応する範囲に必ず滑りシートが位置するようにしている。この体位変換補助シートは、単独の使用を想定しておらず、通常ベッドのマットに被せられたシーツ上に敷かれることになる。これから、通常シートは同種のシーツの上に敷かれることになる。通常シートは、あくまで滑りシートに対して滑りにくくした面であるから、ベッドのマットに被せられた同種の生地で構成されるシーツに対しては不要でしかない。
【０００９】
また、滑りシートを位置固定するため、通常シートをベッドのマットに巻き付ける構成は、体位変換補助シートの交換を難しくする問題がある。例えば、防水層を備えた体位変換補助シートは、必要により交換できることを想定しているが、滑りシートと一体となった通常シートをベッドのマットに巻き込んでいるため、要介護者をベッドから待避させなければ、体位変換補助シートをベッドから取り外すことができない。そこで、寝具等に横たわる人間と前記寝具等との間に介装し、この人間が体位変換又は移動することを容易にする体位変換補助シートを、交換が容易で、およそ人間が横たわれる場所に敷くことのできる製品に仕上げるため、構造又は構成について検討した。
【課題を解決するための手段】
【００１０】
検討の結果開発したものが、寝具等に横たわる人間と前記寝具等との間に介装し、この人間が体位変換又は移動することを容易にする体位変換補助シートであって、平面視形状が略等しい滑りシートと滑り止めシートとからなり、滑りシートは特定方向に滑りやすく、前記特定方向以外で滑りにくくした表面を有し、滑り止めシートは全方向に滑りにくくした裏面を有してなり、少なくとも両シートの周縁相互を接合し、滑りシート及び滑り止めシートを一体にした体位変換補助シートである。
【００１１】
滑り止めシートは、裏面全体に滑り止めを設けてもよいし、例えば別体の滑り止め部材を部分的に取り付けてもよい。また、滑りシート及び滑り止めシートの周縁相互の接合は縫着が最も簡易であるが、接着でもよく、例えば両シートが合成樹脂製である場合は熱融着又は超音波融着することもできる。このほか、接合する滑りシート及び滑り止めシートの周縁には、縁布を取り付けるとよい。
【００１２】
本発明の体位変換補助シートは、寝具等に横たわる人間の体位変換又は移動を補助する滑りシートに滑り止めを図った滑り止めシートを一体に設け、滑りシート単体の位置ずれを防止する。体位変換又は移動を補助する滑りシートの大きさは、およそ人間の上半身に相当する範囲の小さなもので、例えば従来同種の体位変換補助シートの滑りシートもベッドに対して小さい。これから、本発明の体位変換補助シートをベッドに敷いた場合、横たわる人間がベッドの範囲内で移動すれば、容易にベッドの上から取り除き、交換できる。
【００１３】
滑りシート及び滑り止めシートの周縁を接合しただけでは、滑りシートの中央付近がだぶついて皺が発生し、滑りシートの表面の滑りやすさが損なわれる虞れがある。そこで、滑りシート及び滑り止めシートは、両シートが接面する範囲で部分的に接合するとよい。具体的には、滑りシート及び滑り止めシートの対向する周縁間を直線状又は蛇行状に結ぶ縫着線や、キルティング加工による縫着線で、滑りシート及び滑り止めシートを部分的に接合するとよい。この場合も、縫着に限らず、接着でもよいし、両シートが合成樹脂製である場合は熱融着又は超音波融着することもできる。
【００１４】
また、本発明の体位変換補助シートの触感を良好にするため、滑りシート及び滑り止めシートは、弾性を備えたクッションシートを介装するとよい。このクッションシートは、平面視形状が滑りシート及び滑り止めシートと略等しくし、滑りシート、クッションシート及び滑り止めシートの順に重ねて周縁を一体に接合してもよいし、例えば滑りシート及び滑り止めシートの周縁相互を接合して構成される袋体に、クッションシートを内蔵させてもよい。いずれの場合も、滑りシート、滑り止めシート及びクッションシートは、各シート相互の接面する範囲が重なる範囲で部分的に接合すると、滑りシートのだぶつきが抑制又は防止されて、滑りシートの表面における皺の発生が抑制又は防止できる。
【００１５】
滑りシートは、経糸又は緯糸の一方が他方より多く表面に現れ、この経糸又は緯糸の一方が特定方向に揃った略平行な糸条列を織成又は編成した滑り織物又は滑り編物であり、前記糸条列の特定方向では糸条の抵抗がないために滑りやすく、前記特定方向以外では糸条列に引っ掛かって滑りにくくした表面を形成する構成を示すことができる。ここで、滑り織物又は滑り編物の「経糸又は緯糸」は交差する糸条をそれぞれ意味し、経糸又は緯糸が複数あったり、斜糸がある場合は、主たる経糸又は緯糸を特定方向に揃えればよい。
【００１６】
滑りシートが滑り織物である場合、畳表様に緯糸のみを表面に現して糸条列を織成したり、細い経糸と太い緯糸とを例えば絡み織して緯糸を表面に現し、糸条列を織成できる。また、滑りシートが滑り編物である場合、例えば緯糸のループを揃えることにより糸条列を編成できる。ここで、前記各緯糸をマルチフィラメントにすると、糸条列の延在方向以外で緯糸が引っ掛かりやすくなり、糸条列の延在方向＝特定方向への滑りやすさが相対的に際立たせることができる。また、経糸及び緯糸を粗に織成又は編成することで、滑りシートをメッシュ様にし、通気性を付与できる。
【００１７】
また、滑りシートは、経糸又は緯糸の一方が他方より多く表面に現れ、この経糸又は緯糸の一方が特定方向に揃った略平行な糸条列を編成した表編面を、経糸及び緯糸を編成した裏編面と連結糸で結んだ滑り立体編物であり、前記糸条列の特定方向では糸条の抵抗がないために滑りやすく、前記特定方向以外では糸条列に引っ掛かって滑りにくくした表面を形成し、主として連結糸により弾性を発揮させる構成にしてもよい。クッションシートを介装しない場合はこの滑りシートが体位変換補助シートの触感を改善し、クッションシートを介装した場合はこの滑りシート及びクッションシートが相俟って体位変換補助シートの触感を更に改善する。具体的な滑り立体編物はダブルラッセルが好ましく、表編面及び裏編面をメッシュ様に編成すると、滑りシートとして通気性を備えることができる。
【００１８】
滑り止めシートは、経糸及び緯糸を織成又は編成し、裏面に滑り止め加工を施した滑り止め織物又は滑り止め編物であり、前記滑り止め加工を施した裏面により全方向に滑りにくくした裏面を織成又は編成した構成を示すことができる。具体的な織物又は編物は、上述の滑りシートに準じる。ここで、「滑り止め加工」とは、滑り止め織物又は滑り止め編物の裏面に形成するゴム層や多数のゴム突起等、全方向に高い摩擦抵抗を発揮する従来公知の各種手段を滑り止めシートの裏面に直接施すことを意味する。この滑り止め加工に代えて、既述したように、別体の滑り止めを滑り止めシートの裏面に取り付けてもよい。また、経糸及び緯糸を編成し、滑り止め加工を施した裏編面を、同じく経糸及び緯糸を編成した表編面と連結糸で結んだ滑り止め立体編物であり、前記滑り止め加工を施した裏面により全方向に滑りにくくした裏面を形成し、主として連結糸により弾性を発揮させる滑り止めシートを構成してもよい。滑り止め立体編物はダブルラッセルが好ましい。
【００１９】
クッションシートは、従来公知の各種クッション素材、例えば糸条を絡めたワタ等を用いることができるほか、経糸及び緯糸を編成した表編面を、同じく経糸及び緯糸を編成した裏編面と連結糸で結んだクッション立体編物であり、前記主として連結糸により弾性を発揮させて構成することもできる。具体的なクッション立体編物はダブルラッセルが好ましく、表編面及び裏編面をメッシュ様に編成すると、クッションシートとして通気性を備えることができる。
【００２０】
本発明の体位変換補助シートは、横たわる人間の体位変換又は移動を補助することを主眼とするが、前記人間が要介護者である場合、失禁マットとしても利用できると利便性が向上する。この場合、基本として、滑りシートは吸水性を備え、滑り止めシートは撥水性を備えた体位変換補助シートを構成することができる。また、滑りシート及び滑り止めシートの間にクッションシートを介装させた場合、滑りシートは通水性を備え、クッションシートは吸水性を備え、滑り止めシートは撥水性を備えた体位変換補助シートを構成してもよい。ここで、クッションシートは上クッションシート及び下クッションシートからなる二層構成とし、上クッションシートは吸水性を備え、下クッションシートは通水性及び撥水性を備えるようにしてもよい。
【００２１】
上記各体位変換補助シートにおいて、吸水性を備える滑りシート、クッションシート又は上クッションシートは、失禁等の水分を滑りシートの表面から吸収し、保持する働きを有する。また、撥水性を備える滑り止めシート又は下クッションシートは、滑り止めシートの裏面にまで水分が至ることを抑制又は防止する働きを有する。このほかクッションシートを、二層構成とした場合、吸水性を備える上クッションシートは失禁等の水分を滑りシートから吸収し、保持する働きを有し、通水性及び撥水性を備える下クッションシートは、一時的に上クッションシートから水分を引き込みながら、滑り止めシートから水分が落ちないようにし、下方から上クッションシートに水分を吸収させる働きを有する。
【００２２】
滑りシートは、織成又は編成した滑り織物又は滑り編物に吸水加工を施すほか、滑り織物又は滑り編物を構成する経糸又は緯糸を予め吸水加工しておくことで、吸水性を備えることができる。また、滑りシートが滑り立体編物、例えばダブルラッセルの場合、この滑り立体編物を構成する経糸、緯糸又は連結糸を予め吸水加工しておくとよい。ここで、前記経糸、緯糸又は連結糸がポリエステル製糸であれば、グラフト重合により各糸表面を改質して、各糸に吸水性を付与できる。また、滑りシートは、滑り織物、滑り編物又は滑り立体編物をメッシュ様に織成又は編成することで、通気性を備えることができる。
【００２３】
滑り止めシートは、織成又は編成した滑り止め織物又は滑り止め編物に撥水加工を施すほか、滑り止め織物又は滑り止め編物を構成する経糸又は緯糸を予め撥水加工しておくことで、撥水性を備えることができる。また、滑り止めシートが滑り止め立体編物、例えばダブルラッセルの場合、この滑り止め立体編物を構成する経糸、緯糸又は連結糸を予め撥水加工しておくとよい。撥水加工は、滑り止め織物、滑り止め編物、滑り止め立体編物全体や、各織物又は編物を構成する経糸、緯糸又は連結糸に対して、従来公知の各種手段により撥水剤を塗布すればよい。
【００２４】
ここで、例えば滑りシートとなる滑り立体編物や滑り止めシートとなる滑り止め立体編物は、表編面と裏編面とを連結糸で結んだ構成であるから、各表編面及び裏編面の編成態様を異ならせたり、また編成する経糸及び緯糸に施す処理を異ならせることで、表編面及び裏編面の間で異なる性質を付与することもできる。例えば滑り立体編物について、表編面はメッシュ様に編成して通水性のみを付与し、裏編面を編成する経糸及び緯糸に吸水加工を施してこの裏編面のみ吸水性を付与することもできる。同様に、滑り止め立体編物について、表編面を編成する経糸及び緯糸に吸水加工を施してこの表編面には吸水性を付与し、裏編面を編成する経糸及び緯糸に撥水加工を施してこの裏編面には吸水性を付与することもできる。こうした表編面及び裏編面に付与する機能の選択及び組み合わせは、吸水マットとしての性能要求に合わせて、適宜選択できる。
【００２５】
クッションシート又は上クッションシートは、糸条を絡めたワタ等で構成した場合、前記ワタに吸水加工を施すことで吸水性を付与できる。また、クッションシート又は上クッションシートがクッション立体編物、例えばダブルラッセルの場合、このクッション立体編物全体に吸水加工を施すほか、クッション立体編物を構成する経糸、緯糸又は連結糸を予め吸水加工しておくことで、吸水性を付与できる。ここで、前記経糸、緯糸又は連結糸がポリエステル製糸であれば、グラフト重合により各糸表面を改質して、各糸に吸水性を付与できる。また、クッションシート又は上クッションシートは、クッション立体編物をメッシュ様に編成することで、通気性を備えることができる。このほか、クッション立体編物の表編面及び裏編面に付与する機能を選択して組み合わせることで、クッションシート又は上クッションシートは通気性、吸水性又は撥水性を兼ね備えることもできる。
【００２６】
ここで、吸水性を備えるクッションシート又は上クッションシートは、従来公知の各種クッション素材、例えば発泡ポリウレタンに吸水性樹脂を混ぜ込むことでも構成できるが、この発泡ポリウレタンを用いたクッションシートは吸水した水分を放出しにくい欠点がある。この点、例えば経糸、緯糸又は連結糸を吸水加工したクッション立体織物、例えばダブルラッセルから構成したクッションシート又は上クッションシートは吸水した水分を放出しやすく、失禁マットとして体位変換補助シートを利用する際の繰り返して利用を容易にする利点がある。
【００２７】
下クッションシートは、糸条を絡めたワタ等で構成した場合、前記ワタに撥水加工を施すことで撥水性を付与できる。また、下クッションシートがクッション立体編物、例えばダブルラッセルの場合、このクッション立体編物全体に撥水加工を施すほか、クッション立体編物を構成する経糸、緯糸又は連結糸を予め撥水加工しておくことで、撥水性を付与できる。撥水加工は、前記ワタ全体又はクッション立体織物全体や、ワタ又はクッション立体織物を構成する糸条、経糸、緯糸又は連結糸に対して、従来公知の各種手段により撥水剤を塗布すればよい。このほか、クッション立体編物の表編面及び裏編面に付与する機能を選択して組み合わせることで、下クッションシートは通気性、吸水性又は撥水性を兼ね備えることもできる。
【発明の効果】
【００２８】
本発明は、特定方向に滑りやすく、前記特定方向以外で滑りにくくした表面を有する滑りシートと、全方向に滑りにくくした裏面を有する滑り止めシートとを表裏の関係で一体にすることにより、滑りシートを直接位置固定できる体位変換補助シートを提供できるようにする。これは、例えばベッド上の一部に体位変換補助シートを敷くことができることを意味し、要介護者が前記体位変換補助シートから外れれば、容易に体位変換補助シートを交換できるようにする取扱い上の効果をもたらす。また、本発明の体位交換補助シートは、失禁マットの機能、すなわち吸水性を付与して構成することも容易であり、前記取扱い上の効果は、交換が容易な失禁マットとして体位変換補助シートを利用できる更なる効果をもたらす。
【００２９】
本発明の体位交換補助シートは、滑りシートの位置固定に通常シートをベッドのマットに巻き込む必要がないことから、従来の体位変換補助シートのように、利用対象がベッドのみに限定されず、およそ人間が横たわる寝具等に体位変換補助シートを用いることができる。例えば、事故現場等で地面に横たわる怪我人を体位変換させる際に、本発明の体位変換補助シートを怪我人のすぐ横で地面に敷くことで、怪我人の体位変換を容易にする利用態様が考えられる。このように、本発明の体位変換補助シートは、汎用性が高い効果を有する。
【発明を実施するための最良の形態】
【００３０】
以下、本発明の実施形態について図を参照しながら説明する。図１は本発明に基づく体位変換補助シート１をベッド２のシーツ21上に敷いた使用状態を表す斜視図、図２は体位変換補助シート１のみを表した斜視図、図３はキルティング加工により一体化した別例の体位変換補助シート１のみを表した斜視図、図４は体位変換補助シート１の構成を表す分解斜視図、図５は滑り止めシート13の裏面側を表す斜視図、図６は別例の滑り止めシート13の裏面側を表す斜視図であり、図７〜図10は別例の体位変換補助シート１の構成を表す分解斜視図である。各図に示す例は、いずれも要介護者の寝返り（体位変換）を補助する体位変換補助シート１である。説明の便宜上、図１中は滑りシート11における糸条列の図示は省略し、図２中縫着線111を太破線で図示している。
【００３１】
本発明の体位変換補助シート１は、例えば図１に見られるように、ベッド２のシーツ21の上に敷き、横たわる要介護者（図示略）の上半身から臀部に当たる範囲で、この要介護者とシーツ21との間に介装される。本例の体位変換補助シート１は、ベッド２の長手方向に長辺を、ベッド２の短手方向に短辺を揃えてシーツ21の上に敷く平面視長方形である。要介護者はベッド２の短手方向に寝返りするから、体位変換補助シート１の滑りシートは緯糸からなる糸条列112を短辺方向に揃え、短辺方向に滑りやすくし、長辺方向に滑りにくくしている。
【００３２】
本例の体位変換補助シート１は、図４に見られるように、滑りシート11、クッションシート12及び滑り止めシート13を、前記記載順に重ね合わせた構成で、後述するように失禁マットの機能を兼ねて利用できる。全シート11,12,13は、図２に見られるように、長辺方向に等間隔で、短辺方向に平行な縫着線111で縫着して全シート11,12,13相互の位置ずれ、特に滑りシート11に皺が発生することを抑制又は防止しながら、全シート11,12,13の重なる周縁に縁布14を取り付けて縫着し、一体にしている。滑りシート11の表面の滑りやすさを阻害しなければ、例えば図３に見られるように、キルティング加工の縫着線113により全シート11,12,13を一体に縫着してもよい。また、各シート11,12,13が合成樹脂製であれば、前記縫着に代えて熱融着又は超音波融着してもよい。
【００３３】
滑りシート11は、例えばポリエステル製経糸及び緯糸を絡み織りした滑り織物114で構成できる。この滑りシート11は、前記経糸を相対的に細く、緯糸を相対的に太くして、緯糸を短辺方向へ略平行に揃えて糸条列112を構成し、短辺方向に滑りやすく、長辺方向に滑りにくくした表面を形成する。また、絡み織りによる滑り織物114はメッシュ様に織成することができ、滑りシート11としての通気性、そして通水性を実現でき、本例の体位変換補助シート１を失禁マットの代用として使用する際には、水分を内部に取り込みやすくする。
【００３４】
クッションシート12は、例えばポリエステル製経糸、緯糸及び連結糸からなるダブルラッセルのクッション立体編物121として構成できる。このクッションシート12は、主として連結糸の働きにより弾性を発揮することができ、更に前記経糸、緯糸及び連結糸をグラフト重合により各糸表面を改質し、吸水性を付与することができる。また、ダブルラッセルであるクッション立体編物121はメッシュ様に編成することで、クッションシート12としての通気性、そして通水性を実現することができる。更に、本例の体位変換補助シート１を失禁マットの代用として使用する際には、前記吸水性により滑りシート11から取り込んだ水分を吸水し、適宜蒸発させながら早期に乾燥させることができる。
【００３５】
滑り止めシート13は、例えばポリエステル製経糸及び緯糸を織成した滑り止め織物131の裏面に滑り止めを施すことで構成できる。前記滑り止めとしては、図５に見られるように、滑り止め織物131の裏面に樹脂層132を形成し、更に前記樹脂層132に摩擦抵抗の大きな突起133を断続的に形成した構成を例示できる。また、滑り止めは、図６に見られるように、別途樹脂層で被覆した高摩擦シート134を滑り止め織物131の一部に架け渡して構成することもできる。この滑り止めシート13は、全体又は各糸に撥水加工を施すことで、上述のクッションシート12がすぐに吸水できなかった水分を滑り止めシート13の裏面にまで至らないようにする。
【００３６】
このような滑りシート11、クッションシート12及び滑り止めシート13を重ね合わせて一体にした本例の体位変換補助シート１は、図１に見られるような利用態様で、要介護者の体位変換又は移動、例えば寝返りを助ける。すなわち、滑りシート11の短辺をベッド２の短手方向に揃えておくと、要介護者は滑りシート11に従ってベッド２の短手方向＝横方向には身体を動かしやすいが、ベッド２の長手方向＝縦方向には滑りシート11に身体がひっかかって動きにくくなるので、特に横方向の体位変換又は移動を伴う寝返りが容易になる。
【００３７】
また、既述したように、本例の体位変換補助シート１は失禁マットの代用として利用できる。要介護者が失禁した場合、水分は滑りシート11を経て迅速にクッションシート12に吸水される。これにより、滑りシート11の表面は常に乾燥状態を保つことができる。そして、クッションシート12は、適宜水分を蒸発させて比較的早期に乾燥する。ここで、クッションシート12が吸水しきれない水分は滑り止めシート13に至るが、滑り止めシート13は撥水性を備えており、クッションシート12及び滑り止めシート13の間に水分を留めることができる。そして、クッションシート12が適宜前記水分を吸水するため、およそ水分が滑り止めシート13の裏面、すなわちベッド２のシーツ21にまで至る虞れはない。
【００３８】
触感の改善や失禁マットの代用としての利用が不必要な場合、本発明の体位変換補助シート１は、図７に見られるように、滑り織物114で構成した滑りシート11と、滑り止め織物131で構成した滑り止めシート13とのみを重ね合わせて一体にした簡単な構成であってもよい。この場合、少なくとも滑り止めシート13に撥水性を付与することで、失禁に際する水分がベッド２のシーツ21に至らないようにすることはできる。
【００３９】
また、クッションシートを使わずに、図８に見られるように、弾性を備えた滑り立体編物115、例えばダブルラッセルで構成した滑りシート11と、滑り止め織物131で構成した滑り止めシート13とを重ね合わせて、体位変換補助シート１を構成してもよい。この場合、滑り立体編物115で構成した滑りシート11がクッションシートの代わりに弾性を発揮する。また、この滑りシート11に吸水性を付与し、滑り止めシート13に撥水性を付与することで、体位変換補助シートを失禁マットとして利用させることもできる。この場合、吸水した滑りシート11は厚みがあるため、表面から水分がしみ出すことはない。
【００４０】
逆に、図９に見られるように、滑り織物114で構成した滑りシート11と、弾性を備えた滑り止め立体編物135、例えばダブルラッセルで構成した滑り止めシート13とを重ね合わせて、体位変換補助シート１を構成してもよい。この場合、滑り止め立体編物135で構成した滑り止めシート13がクッションシートの代わりに弾性を発揮する。また、滑り織物114をメッシュ様に織成又は編成して滑りシート11に通気性及び通水性を付与し、滑り止めシート13に吸水性を付与することで、体位変換補助シート１を失禁マットとして利用させることもできる。
【００４１】
このほか、図10に見られるように、クッションシート13を上クッションシート122、下クッションシート123に分け、上クッションシート122は吸水性を与えたクッション立体編物135、例えばダブルラッセルで構成し、下クッションシート122は撥水性を与えた糸条を絡めたワタ124で構成することもできる。この体位変換補助シート１は、失禁マットとしても利用できるほか、上クッションシート122及び下クッションシート123により全体の厚みが増し、上記各例よりも触感が大きく改善できる。
【図面の簡単な説明】
【００４２】
【図１】本発明に基づく体位変換補助シートをベッドのシーツ上に敷いた使用状態を表す斜視図である。
【図２】体位変換補助シートのみを表した斜視図である。
【図３】キルティング加工により一体化した別例の体位変換補助シートのみを表した斜視図である。
【図４】体位変換補助シートの構成を表す分解斜視図である。
【図５】滑り止めシートの裏面側を表す斜視図である。
【図６】別例の滑り止めシートの裏面側を表す斜視図である。
【図７】別例の体位変換補助シートの構成を表す分解斜視図である。
【図８】別例の体位変換補助シートの構成を表す分解斜視図である。
【図９】別例の体位変換補助シートの構成を表す分解斜視図である。
【図１０】別例の体位変換補助シートの構成を表す分解斜視図である。
【符号の説明】
【００４３】
１  体位変換補助シート
11  滑りシート
111  短辺方向に平行な縫着線
112  糸条列
113  キルティング加工の縫着線
114  滑り織物
115  滑り立体編物
12  クッションシート
121  クッション立体編物
122  上クッションシート
123  下クッションシート
124  糸条を絡めたワタ
13  滑り止めシート
131  滑り止め織物
132  樹脂層
133  突起
134  高摩擦シート
135  滑り止め立体編物
14  縁布
２  ベッド
21  シーツ
【図１】
2006109928.tif 000003
【図２】
2006109928.tif 000004
【図３】
2006109928.tif 000005
【図４】
2006109928.tif 000006
【図５】
2006109928.tif 000007
【図６】
2006109928.tif 000008
【図７】
2006109928.tif 000009
【図８】
2006109928.tif 000010
【図９】
2006109928.tif 000011
【図１０】
2006109928.tif 000012